(57)【要約】      （修正有）【課題】塗装に際して、組立模型の部品を確実かつ安定して挟持する組立模型用クリップを提供する。【解決手段】挟持部２０は、後部に柄部３０を延設した下側の第１部材２１ａと、上側の第２部材２３ａとから成る。第１部材の先端部の第１挟持面２１ｂに対向して、第２部材の前端部には第２挟持面が設けられ、第２部材の後端部は、第２挟持面を軸部２２を介して開閉させるための押圧部２３ｃとされている。第１部材と第２部材との間には、第２挟持面を第１挟持面に対して常時下降方向に付勢する弾性体２４が設けられている。第１挟持面には、部品のランナを挟持するための縦溝２５と、縦溝に直交する横溝２６とが十字状に設けられ、第２挟持面には、縦溝のみが設けられている。【選択図】図１
0003216887.tif 000002
【実用新案登録請求の範囲】
【請求項１】
先端にそれぞれ挟持面を有する挟持部と、該挟持部の後端部から延在する柄部とを備え、前記挟持部は軸部を介して前記挟持面同士を閉止させるように付勢する弾性体を備える組立模型用クリップであって、
一対の前記挟持面のうち、少なくとも一方の挟持面に対して、前記柄部の方向に沿った縦溝と、該縦溝に直交する横溝とが十字状に設けられていることを特徴とする組立模型用クリップ。
【請求項２】
前記弾性体は、先端が窄まったＵ字状とされる合成樹脂材から成形されていることを特徴とする請求項１に記載の組立模型用クリップ。
【請求項３】
一対の前記挟持面のうちの他方の挟持面に対して、少なくとも縦溝が配置されていることを特徴とする請求項１又は２に記載の組立模型用クリップ。
【請求項４】
前記挟持部は、第１部材と第２部材とから成り、
前記第１部材は、前記一方の挟持面と、前記軸部の一部とを備え、
前記第２部材は、前記一方の挟持面に対向する前記他方の挟持面と、押圧部と前記軸部の一部とを備えることを特徴とする請求項１〜３の何れか１項に記載の組立模型用クリップ。
【請求項５】
前記一対の前記挟持面の前記縦溝及び前記横溝の周囲には、上下で噛み合う複数の凹凸部が設けられていることを特徴とする請求項１〜４の何れか１項に記載の組立模型用クリップ。
【考案の詳細な説明】
【技術分野】
【０００１】
本考案は、組立模型を製作する過程において、その部品を塗装する際に、これらを挟持するための組立模型用クリップに関するものである。
【背景技術】
【０００２】
例えば合成樹脂材から成るプラモデルなどの組立模型は、図６に示すようにパーツである個々の部品Ｐが格子状の所謂ランナＲ、ゲートＧにより、互いに連結された部品群として提供されている。組立模型を組み立てる際には、部品ＰをゲートＧにおいて切離した上で、これらを組み立てることになる。
【０００３】
ところで、組立模型を組み立てるに当たっては、組み立てた後に塗装するよりも、組み立てる前に予め部品Ｐごとに塗装するほうが、塗装が丁寧にかつ正確にできて好ましい。このため、部品Ｐごとにピンセットや指先で挟持しながら塗装することになるが、部品Ｐには小さいものや細かいもの、形状の複雑なものも多いため、これらをピンセットや指で挟持を続けながら細かく塗装することは難しい。
【０００４】
この種の部品を塗装する際に使用するものとして、特許文献１に記載の塗装用保持具が提案されている。この塗装用保持具によれば、一対の挟持体の先端に、弾性的に付勢しながら部品を挟持する歯を備えているため、ピンセットや指による場合に比して部品を挟持し易く、付勢手段により手を離しても挟持を続けることもできる。また、棒状の支持部を備えているために、持ち易く塗料が指に付着することもない。
【先行技術文献】
【特許文献】
【０００５】
【特許文献１】登録実用新案第３１７３９７８号公報
【考案の概要】
【考案が解決しようとする課題】
【０００６】
しかし、この従来の塗装用保持具では、部品の塗装に際して、部品Ｐの一部を挟持するので、挟持した部分を塗装することができなくなるため、塗り残しや塗りむらが生じ易い。
【０００７】
従って、部品それ自体を挟持するのではなく、部品に連結され成型に使用されたランナを挟持することが好適である。
【０００８】
しかし、この従来の塗装用保持具にあっては、一対の挟持体に備える歯は、棒状の支持部の延びる方向と直交する方向に向けて設けられている。従って、これらの歯の間に横方向に延びるランナＲを挟持した場合には、ランナＲが縦方向にずれることは防止できるものの、ランナＲに対し歯の大きさが合わないと、ランナＲが横方向にずれたり、回転したりすることがあって、部品を安定して挟持することができないことがあり、正確な塗装がし難いとの問題がある。
【０００９】
本考案の目的は、上述する課題を解決し、部品においてランナが格子状に設けられていることに着目し、ランナを挟持しても横方向にずれることがないようにすると共に、ランナを軸として回転しないようにすることにより、部品を確実にかつ安定して挟持できる組立模型用クリップを提供することにある。
【課題を解決するための手段】
【００１０】
上記課題を解決するための本考案に係る組立模型用クリップは、先端にそれぞれ挟持面を有する挟持部と、該挟持部の後端部から延在する柄部とを備え、前記挟持部は軸部を介して前記挟持面同士を閉止させるように付勢する弾性体を備える組立模型用クリップであって、一対の前記挟持面のうち、少なくとも一方の挟持面に対して、前記柄部の方向に沿った縦溝と、該縦溝に直交する横溝とが十字状に設けられていることを特徴とする。
【考案の効果】
【００１１】
本考案に係る組立模型用クリップによれば、塗装に際して、組立模型の部品を確実かつ安定して挟持することができ、正確な塗装を可能とする。
【図面の簡単な説明】
【００１２】
【図１】組立模型用クリップの斜視図である。
【図２】図１のＡ−Ａ断面図である。
【図３】第１、第２挟持面を開いた状態の上方から見た斜視図である。
【図４】第１、第２挟持面を開いた状態の下方から見た斜視図である。
【図５】部品を挟持した状態の斜視図である。
【図６】組立模型の部品をランナで連結している状態の平面図である。
【考案を実施するための形態】
【００１３】
本考案を図面の実施例に基づいて詳細に説明する。
図１は組立模型用クリップの斜視図であり、図２は図１のＡ−Ａ断面図である。本考案に係る組立模型用クリップ１０は、合成樹脂材から成る挟持部２０と、柄部３０とを備えている。
【００１４】
挟持部２０は切離した部品ＰのランナＲを把持するための部分であり、柄部３０は使用者が手で持つ部分であって、柄部３０は挟持部２０の後端部から延在して棒状とされている。
【００１５】
挟持部２０は、後部に柄部３０を延設した下側の第１部材２１ａと、この第１部材２１ａに対して、軸部２２を介して回動自在に設けられた上側の第２部材２３ａとから成っている。
【００１６】
第１部材２１ａの先端部の第１挟持面２１ｂに対向して、第２部材２３ａの前端部には第２挟持面２３ｂが設けられ、第２部材２３ａの後端部は、第２挟持面２３ｂを軸部２２を介して開閉させるための押圧部２３ｃとされている。第１、第２挟持面２１ｂ、２３ｂは稍々先細とされ、鰐口状とされている。
【００１７】
軸部２２は第１部材２１ａの凸部と第２部材２３ａの凹部とが嵌合して回動自在として機能し、第１部材２１ａと第２部材２３ａとの間には、第２挟持面２３ｂを第１挟持面２１ｂに対して常時下降方向に付勢するＵ字状の弾性体２４が軸部２２を囲むようにして設けられている。
【００１８】
第１、第２挟持面２１ｂ、２３ｂ同士を閉止させるように付勢する弾性体２４は、図２に示すように先端が窄まったＵ字状とされる合成樹脂材から成形されているが、コイルばね等の適宜の弾性力を有するものを用いることもできる。
【００１９】
図３は押圧部２３ｃを押して、第２挟持面２３ｂを上方に開いた状態の上方から見た斜視図、図４は下方から見た斜視図である。第１挟持面２１ｂには、柄部３０が延在する方向に沿って延び、ランナＲを挟持するための縦溝２５と、この縦溝２５に直交する横溝２６とが十字状に設けられている。また、第２挟持面２３ｂには縦溝２５のみが設けられ、横溝２６は配置されていないが、横溝２６を設けてもよい。
【００２０】
なお、縦溝２５、横溝２６はランナＲを挟持した場合に、ランナＲを確実に保持できる大きさとされている。第１、第２挟持面２１ｂ、２３ｂの縦溝２５、横溝２６の周囲には、第１、第２挟持面２１ｂ、２３ｂ同士の滑り止めのために、上下で噛み合う複数の小さな凹凸部２７が設けられている。
【００２１】
押圧部２３ｃは使用者が挟持部２０を開くために押圧する部分である。第１挟持面２１ｂから第２挟持面２３ｂを離間するには、この押圧部２３ｃが力点となり、軸部２２が支点となる。
【００２２】
使用に際しては、指で第１部材２１ａと押圧部２３ｃとを挟んで押圧部２３ｃを押圧すると、弾性体２４の付勢力に抗して第１挟持面２１ｂと第２挟持面２３ｂとが離間する。これにより生じた隙間に、ランナＲを挿入して押圧を解除すると、弾性体２４の復元力により挟持部２０は図５に示すようにランナＲを挟持できる。
【００２３】
このとき、部品Ｐに対して横方向に延びるランナＲから更に別のランナＲが縦方向に直角状に引き出された部分、つまりＴ字状をなす部分を挟持する。すると、横方向に延びるランナＲは横溝２６に収まり、縦方向に延びるランナＲは縦溝２５に収まることになる。その結果、ランナＲは少なくとも３個所で固定されることになるため、挟持された部品Ｐは、縦方向にずれることがないことは勿論のこと、横方向にずれることもランナＲを軸に回転することもない。なお、Ｌ字状をなすランナＲの部分を挟持しても、Ｔ字状をなすランナＲの部分を挟持した場合に準ずる効果が得られる。
【００２４】
そして、ランナＲを挟持した状態で、塗装スプレー等を用いて部品Ｐを塗装した後に、発泡スチロール板等に柄部３０を突き刺して部品Ｐの塗料を乾燥させる。複数の組立模型用クリップ１０を用意し、このような作業を複数の部品Ｐで同時に行うことで、効率的に塗料を乾燥させることができる。
【００２５】
上述の実施例では、組立模型用クリップ１０は複数の部材から成る態様について説明したが、組立模型用クリップ１０を互いに近接する一対の第１、第２挟持面２１ｂ、２３ｂを持つ挟持部２０と、これらを連結する連結部とによる断面「エ」字状の射出成型による一体構造とし、第１、第２挟持面２１ｂ、２３ｂ同士が予め近接する付勢力を備えるようにしてもよい。挟持部２０の連結部の反対側を押すことにより、挟持部２０を離間させることができる。部品Ｐを挿入し押圧力を解除することにより、挟持部２０の第１、第２挟持面２１ｂ、２３ｂは互いに近接して部品Ｐを挟持することができる。
【符号の説明】
【００２６】
１０  組立模型用クリップ
２０  挟持部
２１ａ  第１部材
２１ｂ  第１挟持面
２１ｃ  押圧部
２２  軸部
２３ａ  第２部材
２３ｂ  第２挟持面
２４  弾性体
２５  縦溝
２６  横溝
３０  柄部
【図１】
0003216887.tif 000003
【図２】
0003216887.tif 000004
【図３】
0003216887.tif 000005
【図４】
0003216887.tif 000006
【図５】
0003216887.tif 000007
【図６】
0003216887.tif 000008